(57)【特許請求の範囲】
【請求項１】
相互に回転自在に組み込まれた先軸と後軸とから軸筒を構成し、この軸筒内に断面小判形でかつ不連続のおねじ部が形成されたピストンロッドを摺動可能に設け、このピストンロッドと螺合するめねじ部を有するドライバを先軸内に回転可能に設け、このドライバの前方にピストンロッドの回転を阻止する回り止め部材を先軸内に固設し、内部に棒状物が収納された内筒を先軸内に移動可能に設置し、内筒の先端は先軸の先部内壁に当接可能に設けてなることを特徴とする棒状物繰り出し具。
【請求項２】
前記内筒の内径を、ピストンロッドの取り付け部の外径より小さくして、ピストンロッドを内筒内に挿入可能に圧入してなる請求項１記載の棒状物繰り出し具。
【請求項３】
前記内筒は、棒状物のほぼ全体を支持する長さを有する筒状体からなり、かつ後端内側はピストンロッドが圧入し易いように面取りされてなる請求項１記載の棒状物繰り出し具。
【請求項４】
前記内筒の外周と先軸の内周との間に隙間を設けてなる請求項１記載の棒状物繰り出し具。
【請求項５】
前記ドライバは、先軸に取り付けられる取付部と、後軸に関して空回りをする空回り部とから構成されてなる請求項１記載の棒状物繰り出し具。
【請求項６】
前記ドライバの空回り部は、複数の直立壁と、これらの直立壁の外壁にそれぞれ形成された頂点から左右の傾斜角度が異なる異形突起とを有してなる請求項１記載の棒状物繰り出し具。
【請求項７】
前記後軸の内壁には回り止め用の最低点から左右の傾斜角度が異なる異形の凹部が後方に向かって次第に浅くなるように形成されてなる請求項６記載の棒状物繰り出し具。
【発明の詳細な説明】
【０００１】
【発明の属する分野】
この発明は、バルク液を充填することなどによって形成された棒状化粧品、糊等の棒状文房具等を、回転操作によって繰り出すことができる棒状物繰り出し具に関する。
【０００２】
【従来の技術】
従来、バルク液を噴射ノズルによって容器内に充填し、棒状物を形成するタイプの棒状物繰り出し具が提案されている。これらの棒状物繰り出し具では、繰り出し操作によって一度押し出され、先軸の先端開口より突出してしまった棒状物は、回転操作を逆回転させても、先軸内に戻すことが出来なかった。なぜならば、これらのものでは、充填された棒状物を掴むチャックもしくは包み込む筒部を作成することが困難であった。従って、出過ぎてしまった棒状物を、使用し易い程良い長さまでに戻すことが出来なく、その出過ぎた状態での使用を余儀なくされていた。
【０００３】
その結果、使用する時の力加減が難しくなり、使用により荷重がかかると棒状物が折損といった事態を招いていた。その場合、そのまま使用することが困難となるだけではなく、折れた棒状物によって他の部品をも汚すといった問題を起こしていた。また、出過ぎた棒状物を使用前に折損すると、改めて繰り出し操作を行わなければならなかったので、棒状物を使用可能状態にするまでに手間がかかり、何よりも棒状物の無駄が発生するという不都合があった。
【０００４】
【発明が解決しようとする課題】
そこで、この発明は、出過ぎてしまった棒状物によって発生する上記のような問題を解決すべくなされたものであって、出過ぎた棒状物を傷めずに、丁度良い長さまでに戻すことが出来る棒状物繰り出し具を提供することを目的とする。
【０００５】
さらに、後軸をピストンロッドの後方移動範囲を越えて逆回転すると、空回り機構がピストンロッドに働いて、この空回りにより部品を損傷することのない棒状物繰り出し具を提供することを目的とする。
【０００６】
また、空回り機構を構成するドライバの係合突起を左右対称とせずに異形として、回転方向による摩擦抵抗の差を利用して、棒状物の繰り出し時と収納時における摩擦抵抗の大きさを変えることによって、その操作性を向上せしめた棒状物繰り出し具を提供することを目的とする。
【０００７】
【課題を解決しようとする手段】
この発明の回転繰り出し具によれば、直充填された棒状物を繰り出すための繰り出し機構を構成するピストンロッドを、棒状物のほぼ全体を支持する内筒内に侵入可能に設けると共に上記ピストンロッドの後退時に、上記内筒と共に棒状物を後退せしめてなる。
【０００８】
さらに、この発明によれば、相互に回転自在に組み込まれた先軸と後軸とから棒状物を収納する軸筒を構成し、この軸筒内に断面小判形でかつ不連続のおねじ部が形成されたピストンロッドを摺動可能に設け、このピストンロッドと螺合するめねじ部を有するドライバを先軸内に回転可能に設け、このドライバの前方にピストンロッドの回転を阻止する回り止め部材を先軸内に固設し、先軸内に内筒を移動可能に設置し、かつ内筒の先端は先軸の先部内壁に当接可能に設けてなる棒状物繰り出し具が得られる。
【０００９】
【発明の実施の形態】
以下、添付図面を参照して、この発明の実施の形態による回転繰り出し具を詳細に説明する。
図１および図２は、この発明の実施の形態によるアイライナー等の棒状物を繰り出すための棒状物繰り出し具を示す。図において、先細の先軸２と有底の後軸１とで容器本体としての軸筒を構成する。そして、先軸２と後軸１とは相互に回転自在に設けられている。
【００１０】
図３および図４は後軸１を示し、後軸１の内周には回り止め用の左右非対称の異形凹部１１が形成されている。なお、これらの異形凹部１１は、成形上の観点から後方に向かって次第に浅くなるように形成されている。さらに、後軸１の先部外周には後述するキャップ７との嵌合用の環状凹部１２が形成されている。そして、環状凹部１２の後方には、キャップ７の開口端面が当接するストッパ段部１３が形成されている。また、環状凹部１２とストッパ段部１３との間の内周には先軸２と回転自在に嵌合するための嵌合溝１４が形成されている。
【００１１】
次に、図５〜図７は先軸２を示し、先軸２は前部が先端に向かって次第に外径が小さくなっている先部２１を有している。そして、この先部２１の後端に隣接して当接段部２２が形成され、更にこの当接段部２２から離間して、必要に応じて設けられるＯリング嵌合用の環状溝２３が形成されている。なお、この先軸２の後部側壁には、後述するドライバ４が係止される矩形の窓孔２５が長手方向に形成されている。この窓孔２５は、ドライバ４が先軸２に関して回転可能でかつ抜けないために形成されており、ドライバ４の係止部４３がこの窓孔２５のＤカット２８に係合している。また、先軸２の先端部内周にストッパ用の段差部２６が形成されており、後部内周には係止用の刻み目２７が設けられている。
【００１２】
さらに、図８〜図１０はピストンロッド３を示し、ピストンロッド３は横断面が小判形（円の両側を切断したような形状）となっており、その外側は断続的なおねじ３１と平坦面３２がそれぞれ形成されている。そして、ピストンロッド３の先部は、複数の傾斜段部３３１を有する断面円形の圧入部３３が、設けられている。なお、この圧入部３３は、後述する棒状物支持用の内筒５の後部内に、圧入により取り付けられる。従って、この圧入部３３の外径は、内筒５の内径よりやや大きくしておくことが必要である。
【００１３】
次に、図１１〜図１４はドライバ４を示し、その後部の大径の空回り部４１とその前方の筒状部４２とからなり、先軸２に組み込まれるとドライバ４の空回り部４１の前端面が先軸２の後端面に当接・係止される。そして、この空回り部４１は不連続な４つの直立壁４１１を備えており、この直立壁４１１の外壁には外方に突出して後軸１の内壁に摺接する摺接部４１２をそれぞれ備えている。
【００１４】
なお、これらの摺接部４１２は、図１２から明らかなように左右非対称な異形突起を有している。即ち、後軸１の回転方向によって摩擦抵抗に差が生じるに傾斜角度を変えている。より詳しく述べると、この実施の形態では、上記摺接部４１２は、ドライバ４が左方向の回転が右方向の回転よりも回転し易くし、摩擦抵抗が小さくなるように摺接部４２の傾斜が緩やかに形成されている。従って、後軸の右回転による棒状物繰り出しに際しては、ドライバ４と後軸１との摩擦抵抗が、ピストンロッド３と内筒５との摩擦抵抗よりも大きくなされ棒状物８の繰り出しが行われる。他方、後軸１の逆回転である左回転による棒状物８の収納に際しては、前者が後者よりも小さくなされ収納がスムーズに行われる。この場合、ピストンロッド３は、棒状物８を保持した内筒５と共に一定距離後退し、内筒５の後端が回り止めリング６の前端面に当接すると、ドライバ４の空回り部４１の作用によって、以後は空回りするので過大な負荷が各部品に加えられない。
【００１５】
さらに、ドライバ４は、その前方の筒状部４２の中間外周に係止部４３が形成されており、先軸２のＤカット２８によって抜け止になっている。更に前端側壁には長手方向に対向して一対の割り溝４４が形成されており、これらの割り溝４４の間の裏側には、不連続のめねじ部４５が形成されている。
【００１６】
また、ピストンロッド３の先部に設けられた圧入部３３が取り付けられる内筒５について説明する。この内筒５は、薄い筒状体からなり、その材質としては金属および金属の代替として好適なＰＯＭ（ポリアセタール）、ＰＣ（ポリカーボネート）等が用いられる。なお、この内筒５の前端外側の角部が、先軸２の先部内側に形成されたストッパ段部２６に合わせて容易に係止される角度で面取りされている。他方、後端外側の角部がピストンロッド３の圧入部３３が圧入し易いように面取りされている。
【００１７】
また、図１５および図１６は、先軸２の内側に固設されてピストンロッド３の回転を規制している回り止め部材としての回り止めリング６を示す。この回り止めリング６は、外周部に尖った係止突起６１を有し、これらの係止突起６１によって先軸２の内周に形成された刻み目２７に係止されている。また、回り止めリング６の内部は、図１６で示すようにピストンロッド３の平坦面３２と係合して回り止め機能を果たす回り止め部６２が設けられている。なお、図中、符号７は、棒状物８の乾燥を防ぐために、後軸１の前部外側に嵌合されて気密性を保持するためのキャップを示す。
【００１８】
この発明の棒状物繰り出し具をより理解するために、その組立手順について以下説明をする。
まず、先軸２の後方から薄い筒体からなる内筒５を挿入し、この内筒５の先端が、先軸２の先端部内周に形成されたストッパ段部２６に当接するまで押し込んで装填する。次に先軸２の先部２１の開口は必要な形状の先栓（図示せず）で塞ぎ、先軸２の後方よりノズルを挿入し、後方に徐々にノズルを引き上げながらバルク液を充填する。すると、バルク液は固化して内筒５内に棒状物８を形成する。なお、上記先栓は充填完了後は取り外す。
【００１９】
さらに、ピストンロッド３及び回り止めリング６とドライバ４とのセット品を、先軸２の後方より挿入する。なお、その固定方法は、先軸２の窓孔２５に作成したいわゆるＤカット２８とドライバ４に形成された係止部４３によって行い、容易には抜けないものとなる。
【００２０】
この時、充填により形成された棒状物８は、ピストンロッド３によって押し出されることになるので、予め先端位置からなかにセットしておくことが必要である。次に上記先軸セットを後軸１に取り付けて、さらに前方よりキャップ７を被せて組立てが完了する。また、先軸２の後方から挿入される内筒に、先軸２に挿入前に内筒内へ直接バルク液を充填する方法を用いても良い。即ち、この場合は、予め内筒５先端に充填用先栓を取り付けて、バルク液を後方より充填し、この充填された内筒５を後方より先軸２に装填する。その後、ピストンセットを先具セット後方より圧入・固定し、後軸１を取り付け、キャップ７をして完成する。更に、キャップ７以外の全ての部品を組み立てた後、先軸１を上向きにしてバルク液を先軸１の前方から充填すること等も可能である。
【００２１】
以下、上記発明の実施の形態による棒状物繰り出し具の動作について説明する。
まず、棒状物を繰り出す時には、キャップ７を外し、先軸２に関して後軸１を回転すると、先軸２内に固設されたドライバ４が後軸１の異形凹部１１とドライバ４の空回り部４１の摺接部４１２との係合により回転する。このドライバ４のめねじ部４５がピストンロッド３のおねじ部３１と螺合して回転しながら前進しようとする。
【００２２】
しかしながら、ピストンロッド３の平坦面３２は、回り止めリング６の内側の回り止め部６２と係合している。即ち、ピストンロッド３の断面が、小判形状であるため、回り止め部６２に規制されて回転方向がロックされるので、その結果、軸筒内をピストンロッド３が直進される。このピストンロッド３の直進に伴って、内筒５の先端が先軸２のストッパ段部２６に係止されているので、棒状物８は内筒５内を押し出されて繰り出される。即ち後軸１を回転することによって、ピストンロッド３を前方に移動させ、内筒５と共に棒状物を先軸２の先端から押し出されることになる。
【００２３】
また、出過ぎた棒状物８を戻すには、後軸１を逆転させることによって、ピストンロッド３は後退するので、この時にピストンロッド３と一緒に内筒５を後方に戻すことにする。即ち、内筒５の内径よりもピストンロッド３の外径を大きくしておき、かつ内筒５と先軸２との間には予め隙間を形成しておくことによって、内筒５が先軸２内に嵌合してその位置に残り、ピストンロッド３のみが後退してしまうことをなくしている。なお、後方への移動可能距離は、内筒５と回り止めリング６との隙間距離で決まり、当接時点よりさらに力が加わった場合には、ドライバ４の後部にある空回り部４１によって、棒状物８とピストンロッド３との間に隙間が生じないように空回りをさせる。
【００２４】
より詳しく述べると、先軸２または後軸１が、ピストンロッド３の後退可能距離（内筒５の移動距離）を越えて逆回転され過ぎると、ドライバ４後部の空回り部４１を構成する複数の直立壁４１１が内方に撓んで回転力を吸収し、ドライバ４は後軸１に関して空回りする。その結果、ピストンロッド３はそれ以上後退出来なくなり、各部品に過大な負荷が加わって、部品を破損することがない利点がある。さらに、先軸２内の棒状物の大半は常に内筒５内にあるため、落下等による衝撃にも非常に強く、棒状物の折損は無いことも利点である。
【００２５】
【発明の効果】
この発明は、上記した通りの構成であるので、出過ぎた棒状物を丁度良い長さまで調整し戻すことが出来るので、棒状物を節約することが出来るとともに落下による衝撃も非常に強く、棒状物の折損は無いという効果がある。
【００２６】
さらに、この発明によれば、ピストンの移動範囲を越えて先軸または後軸を回転すると、ピストンが空回りして部品が損傷することのない効果もある。
【００２７】
またさらに、ドライバの摺接突起を左右非対称の異形として回転方向により回転摩擦抵抗に差を設けることによって、棒状物の繰り出し時と収納時とで摩擦抵抗を変えて回転操作をスムーズに行うことが出来る効果もある。
【図面の簡単な説明】
【図１】この発明の実施の形態による棒状物繰り出し具を示す縦断面図である。
【図２】図１の要部を示す拡大縦断面図である。
【図３】図１の後軸の縦断面図である。
【図４】図３の後軸のＡ−Ａ線に沿った断面図である。
【図５】図１の先軸の正面図である。
【図６】図５の先軸の縦断面図である。
【図７】図６の先軸のＢ−Ｂ線に沿った断面図である。
【図８】図１のピストンロッドの正面図である。
【図９】図８のピストンロッドの拡大底面図である。
【図１０】図８のピストンロッドの側面図である。
【図１１】図１のドライバの正面図である。
【図１２】図１１のドライバの平面図である。
【図１３】図１２のドライバの縦断面図である。
【図１４】図１２のドライバの底面図である。
【図１５】図１の回り止めリングの平面図である。
【図１６】図１５の回り止めリングの縦断面図である。
【符号の説明】
１    後軸
１１  異形凹部
１２  環状凹部
１３  ストッパ段部
１４  嵌合溝
２    先軸
２１  先部
２２  当接段部
２３  環状溝
２４  環状突状
２５  窓孔
２６  ストッパ段部
２７  刻み目
２８  Ｄカット
３    ピストンロッド
３１  おねじ部
３２  平坦面
３３  圧入部
３３１  傾斜段部
３３２  先端当接部
４    ドライバ
４１  空回り部
４１１  直立壁
４１２  摺接部
４２  筒状部
４３  係止部
４４  割り溝
４５  めねじ部
５    内筒
６    回り止めリング（回り止め部材）
６１  係止突起
６２  回り止め部
７    キャップ
８    棒状物
【図１】
0003959277.tif 000002
【図２】
0003959277.tif 000003
【図３】
0003959277.tif 000004
【図４】
0003959277.tif 000005
【図５】
0003959277.tif 000006
【図６】
0003959277.tif 000007
【図７】
0003959277.tif 000008
【図８】
0003959277.tif 000009
【図９】
0003959277.tif 000010
【図１０】
0003959277.tif 000011
【図１１】
0003959277.tif 000012
【図１２】
0003959277.tif 000013
【図１３】
0003959277.tif 000014
【図１４】
0003959277.tif 000015
【図１５】
0003959277.tif 000016
【図１６】
0003959277.tif 000017